(57)【要約】【課題】フィルムの交換を行わずに表示する画像を変えることができ、サイズの異なる種々の設置場所にも容易に適用可能とすること。【解決手段】壁面に形成された凹部の底部に光源が設けられた表示装置本体の凹部に装着するための画像スクロールユニット３であって、縦枠材３４ｃ、ｄおよび横枠材３４ａ、ｂから方形枠状に形成されたフレーム３０と、長手方向に複数の表示用の画像が描かれたフィルム３５と、フレームに回転可能に設けられ、フィルムを巻き取って画像をスクロールさせる第一のローラ３１ａと、フレームに回転可能に設けられ、フィルムを巻き取って反対方向に画像をスクロールさせる第二のローラ３２ａと、画像のスクロールを制御するコントローラとを有し、フレームは、縦枠材および横枠材がともに長さ調整可能であり、第一のローラおよび第二のローラは、横枠材の長さに応じて長さ調整が可能である。【選択図】      図２
2004198813.tif 000002
【特許請求の範囲】
【請求項１】
壁面に形成された凹部の底部に光源が設けられた表示装置本体の前記凹部に装着するための画像スクロールユニットであって、
縦枠材および横枠材から方形枠状に形成されたフレームと、
長手方向に複数の表示用の画像が描かれたフィルムと、
前記フレームに回転可能に設けられ、前記フィルムを巻き取って前記画像を第一の方向にスクロールさせる第一のローラと、
前記フレームに回転可能に設けられ、前記フィルムを巻き取って前記第一の方向の反対方向である第二の方向に前記画像をスクロールさせる第二のローラと、
を有し、
前記フレームは、縦枠材および横枠材がともに長さ調整可能であり、
前記第一のローラおよび前記第二のローラは、前記横枠材の長さに応じて長さ調整が可能である、
ことを特徴とする画像スクロールユニット。
【請求項２】
前記第一のローラおよび前記第二のローラは、
軸心部に互いに逆方向の雌ネジが設けられた２つのローラ本体と、
前記２つのローラ本体の間に配置され、前記ローラ本体と外径がほぼ同じの調整ローラと、
前記調整ローラの軸方向の両側に突出して一体的に設けられ、前記２つのローラ本体の雌ネジにそれぞれ螺合する雄ネジと、
を有する請求項１記載の画像スクロールユニット。
【請求項３】
前記第一のローラおよび前記第二のローラは、
軸心部に軸方向の孔が設けられた２つのローラ本体と、
前記２つのローラ本体のそれぞれの孔に挿入され、これら２つのローラ本体が一体的に回転するように係合する軸部材と、
を有する請求項１記載の画像スクロールユニット。
【請求項４】
前記ローラ本体は、
外側円筒状部、内側円筒状部、および外側円筒状部と内側円筒状部とを連結する連結部を有し、
前記外側円筒状部には、押え部材と協働して前記フィルムを挟み込むための凹部が形成され、
前記凹部には、前記押え部材が配置されかつ前記ローラ本体に対してネジによって固定されてなる、
請求項２または３記載の画像スクロールユニット。
【発明の詳細な説明】
【０００１】
【発明の属する技術分野】
本発明は、広告塔、広告看板、案内板、装飾写真板、または表示板なとして用いられる画像スクロールユニットに関する。
【０００２】
【従来の技術】
従来より、フィルムに背面から光を照射し、フィルムに描かれた画像を透過光によって表示する表示装置が普及している。例えば、駅やショッピングセンターの通路などには、宣伝広告のためのこのような表示装置が数多く設置されている。
【０００３】
一般に、宣伝広告のための表示装置は、一定の期間、広告主（スポンサー）に貸される。スポンサーは、自社の製品などの宣伝のための画像が描かれたフィルムを表示装置に自由に取り付けまたは交換することができる。きめ細かな宣伝を行うためには、表示装置に表示する広告の画像を、時間帯または曜日などに応じて適宜交換できることが望ましい。
【０００４】
【発明が解決しようとする課題】
しかし、実際にスポンサーがフィルムの交換を行うことは少ない。フィルムの交換は非常に手間が掛かり、また、人通りの多い場所であれば作業可能な時間帯が限られるからである。
【０００５】
また、駅やショッピングセンターなどに設置するための表示装置は、設置場所ごとにサイズを合わせて製造しなければならない。したがって、大量に製造することが難しく、それだけコスト高となる。
【０００６】
本発明は、これらの問題点に鑑み、フィルムの交換を行わずに表示する画像を変えることができ、サイズの異なる種々の設置場所にも容易に適用可能な画像スクロールユニットを提供することを目的とする。
【０００７】
【課題を解決するための手段】
本発明に係る表示装置は、壁面に形成された凹部の底部に光源が設けられた表示装置本体の前記凹部に装着するための画像スクロールユニットであって、縦枠材および横枠材から方形枠状に形成されたフレームと、長手方向に複数の表示用の画像が描かれたフィルムと、前記フレームに回転可能に設けられ、前記フィルムを巻き取って前記画像を第一の方向にスクロールさせる第一のローラと、前記フレームに回転可能に設けられ、前記フィルムを巻き取って前記第一の方向の反対方向である第二の方向に前記画像をスクロールさせる第二のローラとを有し、前記フレームは、縦枠材および横枠材がともに長さ調整可能であり、前記第一のローラおよび前記第二のローラは、前記横枠材の長さに応じて長さ調整が可能である。
【０００８】
好ましくは、前記第一のローラおよび前記第二のローラは、軸心部に互いに逆方向の雌ネジが設けられた２つのローラ本体と、前記２つのローラ本体の間に配置され、前記ローラ本体と外径がほぼ同じの調整ローラと、前記調整ローラの軸方向の両側に突出して一体的に設けられ、前記２つのローラ本体の雌ネジにそれぞれ螺合する雄ネジとを有する。
【０００９】
また、前記第一のローラおよび前記第二のローラは、軸心部に軸方向の孔が設けられた２つのローラ本体と、前記２つのローラ本体のそれぞれの孔に挿入され、これら２つのローラ本体が一体的に回転するように係合する軸部材とを有する。
【００１０】
また、前記ローラ本体は、外側円筒状部、内側円筒状部、および外側円筒状部と内側円筒状部とを連結する連結部を有し、前記外側円筒状部には、押え部材と協働して前記フィルムを挟み込むための凹部が形成され、前記凹部には、前記押え部材が配置されかつ前記ローラ本体に対してネジによって固定されてなる。
【００１１】
【発明の実施の形態】
図１は表示装置１の構成の概要を説明する図、図２は表示装置１を構成する画像スクロールユニット３の正面図、図３は画像スクロールユニット３の側面図、図４は画像スクロールユニット３の平面図である。
【００１２】
表示装置１は、広告塔、広告看板、案内板、装飾写真板、または表示板などとして用いられる。
図１に示すように、表示装置１は、表示装置本体２および画像スクロールユニット３によって構成される。
【００１３】
表示装置本体２は、建築物の内部または外部の壁面２１に設けられた凹部２ａとその凹部２ａの底部２ｂに取り付けられた光源２２によって構成される。光源２２として、複数の直管形の蛍光灯２２１が用いられる。
【００１４】
表示装置本体２を新たに製造してもよいが、既設の従来型の表示装置からシートフィルム９０およびカバー９１などを取り外したものであってもよい。
図２に示すように、画像スクロールユニット３は、ユニット本体３０、第一のスクロール部３１、第二のスクロール部３２、制御部３３、フィルム３５、電源装置３６、およびガイド３７Ａ、３７Ｂなどによって構成される。
【００１５】
ユニット本体３０は、横枠材３４ａ、３４ｂおよび縦枠材３４ｃ、３４ｄの４本の枠材を連結して方形のフレーム状に構成される。これらの枠材３４ａ〜３４ｄは、それぞれ長さの調整が可能である。枠材３４ａ〜３４ｄの長さを調整することにより、画像スクロールユニット３の上下方向および左右方向のサイズを表示装置本体２の凹部２ａの開口部に合うように調整することができる。
【００１６】
図５は縦枠材３４ｄの構成を示す斜視図、図６は縦枠材３４ｄの中心近傍の横断面図、図７は横枠材３４ａ、３４ｂの縦断面図である。
図５に示すように、縦枠材３４ｄは、枠部材３４１、３４２、および連結部材３４３などによって構成される。連結部材３４３は、断面が長方形をした棒状のものであり、正面から背面に貫通する複数の孔３４ｎが高さ方向（長手方向）に所定の間隔を開けて設けられている。
【００１７】
枠部材３４１、３４２には、連結部材３４３を嵌め込むための嵌込み孔３４ｈ１、３４ｈ２がそれぞれ設けられている。また、連結部材３４３の孔３４ｎと同じ直径の孔３４ｍ１、３４ｍ２が、正面から背面に貫通するようにそれぞれ設けられている。
【００１８】
連結部材３４３は、上端から嵌込み孔３４ｈ１に嵌め込まれ、下端から嵌込み孔３４ｈ２に嵌め込まれる。連結部材３４３は、高さ方向への移動が可能である。したがって、枠部材３４１、３４２、および連結部材３４３の高さ方向の相対的な位置を調整し、縦枠材３４ｄの高さを変えることができる。この際、孔３４ｍ１、３４ｍ２の軸心をそれぞれ連結部材３４３のいずれかの孔３４ｎの軸心と一致させるようにする。そして、図６に示すように、孔３４ｎと孔３４ｍ１、３４ｍ２とにボルト３４Ｂを通しナット３４Ｎで締めることによって、連結部材３４３と枠部材３４１、３４２とを固定する。枠部材３４１、３４２の間に隙間を埋めるためのスペーサ３４４を介在させて、縦枠材３４ｄの強度を高めてもよい。
【００１９】
縦枠材３４ｃは、縦枠材３４ｄと同様に構成され、縦枠材３４ｄと同じ高さになるように調整される。縦枠材３４ｃ、３４ｄの長さを、凹部２ａの開口の縦の長さよりもやや短くなるように調整する。
【００２０】
横枠材３４ａ、３４ｂについても、図示は省略したが、縦枠材３４ｃおよび縦枠材３４ｄと同様に、長さ調整のための連結部材およびスペーサなどが設けられており、長さ調整が可能である。したがって、縦枠材３４ｃおよび縦枠材３４ｄの場合と同様に、横枠材３４ａ、３４ｂの長さを、凹部２ａの開口の横の長さに合わせて調整する。
【００２１】
横枠材３４ａおよび横枠材３４ｂには、図２に示すように、それぞれの左端付近、中央付近、および右端付近に１つずつ高さ調整具ＡＤが設けられている。
図７に示すように、高さ調整具ＡＤは、１組のノブ付きボルトＢＮ１およびノブ付きボルトＢＮ１を留めるためのナットＢＮ２からなる。ノブ付きボルトＢＮ１のノブの部分は、ゴムなどの弾性体によって形成されている。ナットＢＮ２は、横枠材３４ａには図７（ａ）に示すように上下にあるＴ字溝のうち上側のＴ字溝３４ｓに設けられ、横枠材３４ｂには図７（ｂ）に示すように下側のＴ字溝３４ｔに設けられる。
【００２２】
横枠材３４ａ、３４ｂに設けられた各ナットＢＮ２にノブ付きボルトＢＮ１のねじの部分を締め込むことによって、高さ調整具ＡＤが横枠材３４ａ、３４ｂに取り付けられる。このとき、ノブ付きボルトＢＮ１の締め込み具合を調整することによって、画像スクロールユニット３の高さを微調整することができる。
【００２３】
このようにしてサイズが調整された画像スクロールユニット３は、図３および図４に示すように、表示装置本体２に装着される。このとき、横枠材３４ａの各ノブ付きボルトＢＮ１は凹部２ａの上側の面２ａ１に接し、横枠材３４ｂの各ノブ付きボルトＢＮ１は下側の面２ａ２に接する。これにより、画像スクロールユニット３が表示装置本体２に固定される。さらに、ブラケットおよびボルトなどを用いて、画像スクロールユニット３を表示装置本体２に一層確実となるよう固定してもよい。画像スクロールユニット３を装着した後、図３に示すように、表示装置本体２の凹部２ａの開口部にカバー９１が再び取り付けられる。
【００２４】
図２に戻って、第一のスクロール部３１は、ローラ３１ａ、ベルト３１ｂ、およびモータ３１ｃなどによって構成される。同様に、第二のスクロール部３２は、ローラ３２ａ、ベルト３２ｂ、およびモータ３２ｃなどによって構成される。
【００２５】
図８はローラ３１ａの一部を拡大して示す正面図、図９はローラ３１ａの断面図、図１０は図９のＡ−Ａ線断面矢視図、図１１は図９のＢ−Ｂ線断面矢視図である。
【００２６】
図８および図９において、ローラ３１ａは、２つのローラ本体３１１，３１２、調整ローラ３１３、軸部材３１４、押え部材３２１などを有する。
ローラ本体３１１，３１２および調整ローラ３１３は、いずれも、アルミニウム合金の押し出し成形によって製作された円筒状材を適当な長さで切断したものである。これらは互いに同じ断面形状を有するが、調整ローラ３１３は他よりも長さが短い。調整ローラ３１３は、ローラ本体３１１，３１２の軸方向の間に配置され、全体の軸方向の長さを調整するためのものである。
【００２７】
図１０によく表れているように、ローラ本体３１１は、外側円筒状部３３１、内側円筒状部３３２、およびそれらを連結する連結部３３３，３３４，３３５を有する。外側円筒状部３３１には、押え部材３２１と協働してフィルム３５を挟み込むための凹部３３１ａが形成される。凹部３３１ａの図１０の下方の部分の表面（連結部３３５のある側）には、フィルム３５の滑り止めのために、軸方向に延びるローレットが設けられる。凹部３３１ａには、軸方向の複数箇所において、押え部材３２１が配置される。
【００２８】
各押え部材３２１は、フィルム３５を挟んだ状態で、突起３３６に係合し、且つ、ローラ本体３１１の２つの連結部３３４，３３５の間にネジ込まれた複数のネジ３２２によって固定される。押え部材３２１の表面の適当な箇所には、フィルム３５の滑り止めのために、軸方向に延びるローレットが設けられる。押え部材３２１は、アルミニウム合金の押し出し成形材を適当な長さで切断したものである。
【００２９】
これら、ローラ本体３１１、調整ローラ３１３、およびローラ本体３１２には、この順に配置された状態で、各内側円筒状部３３２の内周面である孔３３２ａに、鋼材からなる円柱状の軸部材３１４が挿入される。軸部材３１４は、２つの連結部３３４，３３５の間にネジ込まれた複数のネジ３１８によって固定され、これによって、２つのローラ本体３１１，３１２および調整ローラ３１３が一体的に回転する。
【００３０】
このように、調整ローラ３１３の長さを調整することによって、ローラ３１ａの全体の長さを調整することができる。短い複数の調整ローラ３１３を複数個準備し、挿入する調整ローラ３１３の個数を加減することによって全体の長さを調整してもよい。なお、２つのローラ本体３１１，３１２の間隙が小さい場合には調整ローラ３１３を省略してもよい。２つのローラ本体３１１，３１２および調整ローラ３１３の孔３３２ａに渡って軸部材３１４が挿入されるので、強固に連結される。しかも、複数のネジ３１８によって固定されるので、強く一体化される。ネジ３１８は２つの連結部３３４，３３５の間にネジ込まれるので、ネジ３１８の軸方向位置は任意であり、且つ孔明け作業およびネジ切り作業を行わなくても、ネジ３１８自体のタッピング作用によってネジ込むことが可能である。
【００３１】
他方のローラ３２ａもローラ３１ａと同様の構成であり、同じ長さに調整される。
図１２および図１３は長さ調整機構の他の例を示す断面図である。図１２は調整によって長くなった状態、図１３は短くなった状態をそれぞれ示す。なお、図８〜図１１で説明したローラ３１ａと同じ機能を有する部分については同じ符合を付して説明を省略しまたは簡略化する。
【００３２】
図１２および図１３において、２つのローラ本体３１１，３１２には、その内周面の適所に軸孔部材３４１が設けられ、各軸孔部材３４１に、ネジ孔３４２，３４２が設けられている。一方のローラ本体３１１の側のネジ孔３４２には右ネジが、他方のローラ本体３１２の側のネジ孔３４３には左ネジが、それぞれ設けられている。つまり、これらローラ本体３１１，３１２の軸心部には、互いに逆方向の雌ネジが設けられている。
【００３３】
また、調整ローラ３１３には、ネジ孔３４２，３４３にそれぞれ螺合する雄ネジが設けられたネジ軸３１５，３１６が、軸方向の両側に突出して一体的に設けられている。したがって、図１２に示すようにそれらのネジを螺合させ、調整ローラ３１３を一方向に回転させると２つのローラ本体３１１，３１２は互いに離れ、他方向に回転させると互いに接近する。
【００３４】
したがって、調整ローラ３１３を回転させることにより、ローラ３１ａの全体の長さを調整することができる。しかも、調整ローラ３１３の回転によって長さを可変できるので、調整が容易であり、微調整を行うこともできる。なお、調整後に位置がずれないように、ネジ軸３１５，３１６と軸孔部材３４１との間を固定するためのロックナットを設けてもよい。
【００３５】
上の例では、ローラ本体３１１，３１２に軸孔部材３４１を設けたが、図１０に示した断面を有するローラ本体３１１，３１２を用い、内側円筒状部３３２の孔３３２ａにネジを設けてもよい。
【００３６】
このような調整機構によって、ローラ３１ａの全体の長さを画像スクロールユニット３の幅に合わせて調整することができる。長さが調整されたローラ３１ａの両端は、縦枠材３４ｃ、３４ｄの下端付近に取り付けられる。これにより、ローラ３１ａは、ユニット本体３０の下部に取り付けられる。
【００３７】
図２に戻って、ローラ３２ａはローラ３１ａと同様に画像スクロールユニット３のサイズに合わせて長さが調整され、ユニット本体３０の上部に取り付けられる。ローラ３１ａおよび３２ａには、それぞれ、フィルム３５の下端および上端が取り付けられる。
【００３８】
モータ３１ｃが駆動すると、その動力がベルト３１ｂを介してローラ３１ａに伝わり、ローラ３１ａが回転する。ローラ３１ａは、フィルム３５を巻き取り、フィルム３５に描かれた画像を下方向にスクロールさせる。同様に、モータ３２ｃが駆動するとローラ３２ａが回転する。ローラ３２ａは、フィルム３５を巻き取りながら、フィルム３５に描かれた画像を上方向にスクロールさせる。
【００３９】
Ｌ字型のガイド３７Ａ、３７Ｂは、それぞれ、フィルム３５の右端および左端がガイド面３７Ａｇ、３７Ｂｇの前を通過するように、縦枠材３４ｃ、３４ｄに設けられている。つまり、ガイド３７Ａ、３７Ｂは、フィルム３５が弛んでもフィルム３５が画像スクロールユニット３の奥に入り込まないようにする。ガイド面３７Ａｇの裏側には、各部に電源を供給するための電源装置３６が設けられている。
【００４０】
図１４はフィルム３５の構成を説明する図、図１５はガイド面３７Ａｇおよびフィルム３５の縦断面図、図１６は画像ＩＧのスクロールに関する制御を説明する図、図１７は縦枠材３４ｃ、３４ｄの変形例を示す図である。
【００４１】
図１４に示すように、フィルム３５は、長手方向に複数の表示用の画像ＩＧ（ＩＧ１、ＩＧ２、…ＩＧｎ）が描かれている。フィルム３５として、例えば、乳白色の印刷フィルムなどが用いられる。
【００４２】
フィルム３５の幅方向の右端および左端には、それぞれ、一時停止サインＳＧ１を貼り付けるための一時停止サイン領域３５Ｒおよび終端サインＳＧ２を貼り付けるための終端サイン領域３５Ｌが帯状に設けられている。一時停止サインＳＧ１および終端サインＳＧ２は、制御部３３が画像のスクロールに関する制御を行う際に用いられる。
【００４３】
一時停止サイン領域３５Ｒおよび終端サイン領域３５Ｌは光をほとんど反射しない。逆に、一時停止サインＳＧ１および終端サインＳＧ２として、光を反射する銀色または白色などの粘着テープが用いられる。
【００４４】
図２に戻って、制御部３３は、第一のセンサ３３ａ、第二のセンサ３３ｂ、コントロールスイッチ３３ｃ、および制御回路３３ｄなどによって構成され、画像のスクロールに関する制御を行う。画像のスクロールを制御する方法として、自動モードおよび手動モードの２種類の制御モードが備えられている。
【００４５】
第一のセンサ３３ａおよび第二のセンサ３３ｂとして、フォトセンサが用いられる。第一のセンサ３３ａは、ガイド面３７Ａｇの裏側に設けられており、そのガイド面３７Ａｇに設けられた孔３７ｍの前を通過する一時停止サイン２３を検出する。すなわち、図１５に示すように、第一のセンサ３３ａは、孔３７ｍに向けて光を照射してガイド面３７Ａｇを通過するフィルム３５を検出する。フィルム３５に一時停止サインＳＧ１が貼り付けられていない場合は、照射した光はフィルム３５に反射しない。ところが、一時停止サイン２３が通過すると、照射した光は一時停止サインＳＧ１に反射し、第一のセンサ３３ａはその反射光を検出する。このように、反射光の有無を判別することによって、一時停止サインＳＧ１を検出する。
【００４６】
同様に、第二のセンサ３３ｂは、ガイド面３７Ｂｇに設けられた孔３７ｎを通過する終端サインＳＧ２を検出する。
ガイド３７Ａに設けられているコントロールスイッチ３３ｃは、制御回路３３ｄに対して画像のスクロールに関する制御命令を与えるための入力手段である。ユーザは、コントロールスイッチ３３ｃのボタンを操作するなどして、制御回路３３ｄに制御命令を与える。
【００４７】
制御回路３３ｄは、第一のセンサ３３ａの検出結果、第二のセンサ３３ｂの検出結果、またはユーザによるコントロールスイッチ３３ｃの操作に基づいて、第一のスクロール部３１および第二のスクロール部３２の制御を行う。
【００４８】
コントロールスイッチ３３ｃによって制御モードが自動モードに切り替えられると、制御回路３３ｄは、第一のセンサ３３ａの検出結果および第二のセンサ３３ｂの検出結果に基づいて第一のスクロール部３１および第二のスクロール部３２の動作を制御する。第一のセンサ３３ａが一時停止サインＳＧ１を検出した場合は、フィルム３５の巻き取りを一時停止するように制御する。第二のスクロール部３２が終端サインＳＧ２を検出した場合は、スクロールの方向が変わるように制御する。
【００４９】
次に、自動モードにおける第一のスクロール部３１および第二のスクロール部３２に対する制御の流れを、図面を参照して説明する。
図１６に示すように、自動モードで画像スクロールユニット３の運転を開始すると（ｔ＝Ｔ０）、第二のスクロール部３２のローラ３２ａ（図１６において、「上ローラ」と記載する。）が回転しフィルム３５を巻き取り、画像ＩＧを上方向にスクロールさせる。このとき、第一のスクロール部３１のモータ３１ｃが弱い力で駆動し、ローラ３１ａ（図１６において、「下ローラ」と記載する。）を回転させようとする。これにより、上方向へのスクロールに対するブレーキとなり、フィルム３５が弛まないようにする。
【００５０】
第一のセンサ３３ａが一時停止サインＳＧ１を検出すると（ｔ＝Ｔ１）、上ローラにブレーキが掛かり、スクロールを停止する。所定の時間（Ｔα）の経過後（ｔ＝Ｔ２）、上ローラの回転を始め、再び上方向へのスクロールを行う。第一のセンサ３３ａが一時停止サインＳＧ１を検出するごとに一時停止を繰り返す。
【００５１】
第二のセンサ３３ｂが終端サインＳＧ２を検出し第一のセンサ３３ａが一時停止サインＳＧ１を検出すると（ｔ＝Ｔ５）、スクロールを所定の時間（Ｔα）停止した後、今度は下方向へのスクロールを開始する（ｔ＝Ｔ６）。なお、終端サインＳＧ２のみを検出したときは、所定の時間停止してから逆方向にスクロールしてもよいし、直ちに逆方向にスクロールしてもよい。
【００５２】
同様に、第一のセンサ３３ａが一時停止サインＳＧ１を検出するごとに一時停止を繰り返す。そして、再び、第二のセンサ３３ｂが終端サインＳＧ２を検出し第一のセンサ３３ａが一時停止サインＳＧ１を検出すると（ｔ＝Ｔｐ）、スクロールの方向を上方向に変える（ｔ＝Ｔｑ）。なお、一時停止の時間Ｔαは、コントロールスイッチ３３ｃによってユーザが所望する値に設定可能である。
【００５３】
一方、手動モードにおいては、ユーザによるコントロールスイッチ３３ｃの操作に基づいて第一のスクロール部３１および第二のスクロール部３２の動作を制御する。すなわち、コントロールスイッチ３３ｃの所定のボタンが押されると制御回路３３ｄに上スクロール命令が与えられ、一時停止サインＳＧ１の有無に関わらず画像ＩＧを上方向にスクロールさせる。スクロール中に再度そのボタンが押されると、スクロールを停止する。同様に、他の所定のボタンが押されると制御回路３３ｄに下スクロール命令が与えられ、画像ＩＧを下方向にスクロールさせる。
【００５４】
一時停止サインＳＧ１をフィルム３５に貼り付けるには、まず、手動モードでスクロールを行い、画像ＩＧを一時停止させたい位置に止める。そして、縦枠材３４ｃのガイド面３７Ａｇの孔３７ｍに重なる位置を見つけ、係る位置のフィルム３５の裏面に一時停止サインＳＧ１を貼り付ける。終端サインＳＧ２についても同様である。
【００５５】
本実施形態によると、既設の表示装置の表示装置本体を用いて改良された表示装置を製造することができるので、製造コストを低く抑えることができる。また、画像スクロールユニットのサイズを調整することができるので、既設の表示装置本体のサイズに関わらず、同じ画像スクロールユニットを用いることができる。したがって、画像スクロールユニットの大量生産が可能となり、その製造コストをさらに低く抑えることができる。
【００５６】
既設の表示装置を本実施形態による新たな表示装置に改造することにより、複数の画像を順次スクロールさせて表示し、時間によって異なる画像を表示することができる。また、画像をスクロールさせるタイミングを短い適切なタイミングとすることによって、画像がある流れをもって変化し、ストーリーのある画像を表示することが可能である。
【００５７】
このように、既設の表示装置を新鮮で刺激的な表示装置に変更することができる。
本実施形態では、縦枠材３４ｃ、３４ｄとして、図５に示すように２本の枠部材および連結部材によって構成される枠材を用いたが、図１７に示すように２本の枠部材３４１' 、３４２' を用いてもよい。枠部材３４１' 、３４２' の継ぎ部３４５、３４６には、それぞれ、所定の間隔を開けてねじ孔３４ｎ' 、３４ｍ' が設けられている。枠部材３４１' 、３４２' の長手方向の相対的な位置を調整し、互いに軸心が一致するねじ孔３４ｎ' 、３４ｍ' にボルト３４Ｂを通し、そのボルト３４Ｂをナット３４Ｎで締めて枠部材３４１' 、３４２' を固定する。そして、枠部材３４１' 、３４２' の隙間にスペーサ３４４' を介在させる。横枠材３４ａ、３４ｂについても同様に構成してもよい。
【００５８】
上の実施形態において、壁面２１を利用して表示装置本体２を構成したものについて説明したが、板金加工などによって製作した筐状体を壁の表面に取り付けたものを表示装置本体２としてもよい。この場合は、筐状体が壁面に相当することとなる。
【００５９】
枠部材３４１、３４２に設けられた孔３４ｍ１、３４ｍ２、および連結部材３４３に設けられた孔３４ｎなどを、長穴としてもよい。また、横枠材３４ａ、３４ｂおよび縦枠材３４ｃ、３４ｄのいずれか一方を長さ調整可能とせず、固定寸法としてもよい。適当な構造の高さ調整具ＡＤを適当な個数だけ横枠材３４ａ、３４ｂおよび縦枠材３４ｃ、３４ｄに設けることにより、少しの寸法の調整は可能である。
【００６０】
横枠材３４ａ、３４ｂ、縦枠材３４ｃ、３４ｄ、ローラ本体３１１，３１２、および調整ローラ３１３の断面形状は、上に述べた以外の種々の形状とすることができる。縦枠材３４ｃ、３４ｄを横枠材３４ａ、３４ｂよりも長くし、縦長のユニット本体３０としてもよい。
【００６１】
上に述べた実施形態では、第一のセンサ３３ａと第二のセンサ３３ｂとを左右の横枠材３４ａ、３４ｂに取り付けたが、これらのセンサを同じ側の横枠材３４ａまたは３４ｂに取り付けてもよい。また、センサによる検出方法、制御方法は、種々変更することができる。例えば、右側の横枠材３４ａに１つのセンサを取り付け、フィルム３５の各画像ＩＧに対応して一時停止サインＳＧ１を設け、且つ、スクロール方向を反転させたい位置にはその位置の一時停止サインＳＧ１を挟む上下の位置に反転のためのサインを設ける。この場合に、例えば、センサが一時停止サインＳＧ１を検出する度ごとに一時停止し、短時間で連続的に複数個のサインを検出したときは反転するように制御する。センサとして、磁気センサ、その他の方式のセンサを用いることができる。
【００６２】
その他、表示装置１、表示装置本体２、画像スクロールユニット３の全体および各部の構成、構造、寸法、材質、個数、画像の内容、画像の移動方法、または処理順序などは、本発明の趣旨に沿って適宜変更することができる。
【００６３】
【発明の効果】
本発明によると、フィルムの交換を行わずに表示する画像を変えることができ、サイズの異なる種々の設置場所にも容易に適用可能な画像スクロールユニットを提供することができる。
【００６４】
請求項２の発明によると、調整が容易であり、微調整も可能である。
【図面の簡単な説明】
【図１】表示装置の構成の概要を説明する図である。
【図２】画像スクロールユニットの正面図である。
【図３】画像スクロールユニットの側面図である。
【図４】画像スクロールユニットの平面図である。
【図５】縦枠材の構成を示す斜視図である。
【図６】縦枠材の中心近傍の横断面図である。
【図７】横枠材の縦断面図である。
【図８】ローラの一部を拡大して示す正面図である。
【図９】ローラの断面図である。
【図１０】図９のＡ−Ａ線断面矢視図である。
【図１１】図９のＢ−Ｂ線断面矢視図である。
【図１２】長さ調整機構の他の例を示す断面図である
【図１３】長さ調整機構の他の例を示す断面図である
【図１４】フィルムの構成を説明する図である。
【図１５】ガイド面およびフィルムの縦断面図である。
【図１６】画像のスクロールに関する制御を説明する図である。
【図１７】縦枠材の変形例を示す図である。
【図１８】表示装置本体の変形例を示す図である。
【符号の説明】
２  表示装置本体
２ａ  凹部
２１  壁面
２２  光源
３  画像スクロールユニット
３０  ユニット本体（フレーム）
３１ａ  第一のローラ
３２ａ  第二のローラ
３４ａ、３４ｂ  横枠材
３４ｃ、３４ｄ  縦枠材
３５  フィルム
３１１，３１２  ローラ本体
３１３  調整ローラ
３１４  軸部材
３１５，３１６  ネジ軸（雄ネジ）
３１８  ネジ
３２１  押え部材
３２２  ネジ
３３１  外側円筒状部
３３２  内側円筒状部
３３２ａ  孔
３３３，３３４，３３５  連結部
３３１ａ  凹部
ＩＧ１〜ＩＧｎ  画像
【図１】
2004198813.tif 000003
【図２】
2004198813.tif 000004
【図３】
2004198813.tif 000005
【図４】
2004198813.tif 000006
【図５】
2004198813.tif 000007
【図６】
2004198813.tif 000008
【図７】
2004198813.tif 000009
【図８】
2004198813.tif 000010
【図９】
2004198813.tif 000011
【図１０】
2004198813.tif 000012
【図１１】
2004198813.tif 000013
【図１２】
2004198813.tif 000014
【図１３】
2004198813.tif 000015
【図１４】
2004198813.tif 000016
【図１５】
2004198813.tif 000017
【図１６】
2004198813.tif 000018
【図１７】
2004198813.tif 000019
【図１８】
2004198813.tif 000020